(57)【要約】【課題】要求される機能の向上を可能としながら、液晶表示ユニットの薄型化を可能とする、携帯電話機を提供する。【解決手段】液晶表示ユニットに液晶表示器２ａが、主液晶表示窓４および副液晶表示窓５から視認可能なように配設され、この液晶表示器２ａの、主液晶表示窓４側である表面側には、液晶照光ユニット１０が配設されている。また、液晶表示器２ａの、副液晶表示窓５側である裏面側には、半透過鏡（ハーフミラー）２ｂが配設されている。【選択図】　　　　図４
2004040464.tif 000002
【特許請求の範囲】
【請求項１】
主液晶表示窓および前記主液晶表示窓に対して背面側に位置する副液晶表示窓とを有する液晶表示ユニットと、操作領域を有する操作部ユニットとを備える携帯電話機であって、
前記液晶表示ユニットは、
前記主液晶表示窓からその表面側が視認可能であり、前記副液晶表示窓からその裏面側が視認可能である液晶表示器と、
前記液晶表示器の表面側に配置される液晶照光ユニットと、
前記液晶表示器の裏面側に配置される半透過鏡と
を有する、携帯電話機。
【請求項２】
主液晶表示窓および前記主液晶表示窓に対して背面側に位置する副液晶表示窓とを有する液晶表示ユニットと、操作部ユニットとを有する携帯電話機であって、
前記液晶表示ユニットは、
前記主液晶表示窓からその表面側が視認可能であり、前記副液晶表示窓からその裏面側が視認可能である液晶表示器と、
前記主液晶表示窓に対応する領域において、前記液晶表示器の裏面側に配置される主液晶照光ユニットと、
前記副液晶表示窓に対応する領域において、前記液晶表示器の表面側に配置される副液晶照光ユニットと、
を有する、携帯電話機。
【請求項３】
主液晶表示窓および前記主液晶表示窓に対して背面側に位置する副液晶表示窓とを有する液晶表示ユニットと、操作部ユニットとを有する携帯電話機であって、
前記液晶表示ユニットは、
前記主液晶表示窓から視認可能な主液晶表示器と、
前記副液晶表示窓から視認可能な副液晶表示器と、
前記主液晶表示器と前記副液晶表示器とに挟まれるように設けられる、液晶照光ユニットと、
を有する、携帯電話機。
【請求項４】
当該携帯電話機は、前記液晶表示ユニットの前記主液晶表示窓と、前記操作部ユニットの前記操作領域とが対面するように折り曲げられる、２つ折型の構造を有し、
折りたたまれた状態において、前記副液晶表示窓から、液晶表示による情報の確認が可能なように、前記液晶表示ユニットが制御される、請求項１から３のいずれかに記載の携帯電話機。
【発明の詳細な説明】
【０００１】
【発明の属する技術分野】
この発明は、携帯電話機に関し、より特定的には、携帯電話機の液晶表示ユニットの薄型化に関するものである。
【０００２】
【従来の技術】
近年、携帯電話機の傾向として、高機能化、軽量化、および、薄型化が求められている。たとえば、液晶表示ユニットと操作部ユニットとが、対面するように折りたたまれる２つ折り型の携帯電話機においては、主液晶表示窓から視認可能な主液晶表示器の背面側に、副液晶表示窓から視認可能な副液晶表示器を設ける構造が多く生産されるようになってきている。
【０００３】
これは、折たたまれた状態でも、携帯電話機に内蔵された時計機能、メール着信機能、充電状態確認機能その他の管理機能の状況把握を可能とするためであり、この構成により、携帯電話機の利便性を向上させることを可能としている。
【０００４】
ここで、図１０を参照して、従来の２つ折り型の携帯電話機の構造について説明する。この携帯電話機は、液晶表示ユニット１と操作部ユニット８とを備える。液晶表示ユニット１と操作部ユニット８とは、ヒンジ部９により相互に回動可能に連結されている。
【０００５】
操作部ユニット８には、大別すると、無線機器ユニット８ａ、操作領域８ｂ、および、電池ユニット８ｃとが設けられている。また、液晶表示ユニット１には、表面側に、主液晶表示窓４、裏面側に副液晶表示窓５が設けられ、主液晶表示窓４から、液晶表示を視認可能なように、主液晶表示器２および主液晶照光ユニット６が配設され、副液晶表示窓５液晶表示を視認可能なように、副液晶表示器３および副液晶照光ユニット７が配設されている。図示する構造においては、主液晶表示器２は、フロントライト形式が採用され、副液晶表示器３は、バックライト形式が採用されている。
【０００６】
上記構成からなる携帯電話機において、図示する状態においては、操作領域８ｂと主液晶表示窓４とが、対面する状態に折りたたまれた状態を示している。
【０００７】
【発明が解決しようとする課題】
上記携帯電話機においては、主液晶表示器２および主液晶照光ユニット６と、副液晶表示器３および副液晶照光ユニット７との、２組の液晶表示装置を、液晶表示ユニット１の厚み方向に積重ねた状態で配置されているため、液晶表示ユニット１の厚さが大きくなる問題が挙げられる。
【０００８】
また、携帯電話機の多機能化により、液晶表示器の演色能力の向上にともない、液晶の照光力の大幅な向上が要求され、液晶照光ユニットも大型化する傾向にある。このように、今後の携帯電話機に要求される機能の向上は、携帯電話機そのものに要求される、小形化、軽量化、薄型化に逆行するものとなっている。
【０００９】
したがって、この発明は上記課題を解決するためになされたものであり、要求される機能の向上を可能としながら、液晶表示ユニットの薄型化を可能とする、携帯電話機を提供することにある。
【００１０】
【課題を解決するための手段】
この発明に基づいた携帯電話機のある局面においては、携帯電話機の液晶表示ユニットにおいて、上記主液晶表示窓からその表面側が視認可能であり、上記副液晶表示窓からその裏面側が視認可能である液晶表示器と、上記液晶表示器の表面側に配置される液晶照光ユニットと、上記液晶表示器の裏面側に配置される半透過鏡とを有している。
【００１１】
この携帯電話機においては、１つの液晶表示器と１つの液晶照光ユニットとからなる１組の液晶表示装置により、主液晶表示窓および副液晶表示窓からの液晶表示情報の視認を可能としている。その結果、従来構造のように、液晶表示ユニット内に、２組の液晶表示装置を設ける場合に比べて、液晶表示ユニットの薄型化を図ることが可能になる。また、液晶照光ユニットが大型化した場合においても、液晶表示ユニットの厚さの増加を最小限に抑えることが可能になる。
【００１２】
この発明に基づいた携帯電話機の他の局面においては、携帯電話機の液晶表示ユニットにおいて、上記主液晶表示窓からその表面側が視認可能であり、上記副液晶表示窓からその裏面側が視認可能である液晶表示器と、上記主液晶表示窓に対応する領域において、上記液晶表示器の裏面側に配置される主液晶照光ユニットと、上記副液晶表示窓に対応する領域において、上記液晶表示器の表面側に配置される副液晶照光ユニットとを有している。
【００１３】
この携帯電話機においては、１つの液晶表示器と２つの液晶照光ユニットとからなる液晶表示装置により、主液晶表示窓および副液晶表示窓からの液晶表示情報の視認を可能としている。その結果、従来構造のように、液晶表示ユニット内に、２組の液晶表示装置を設ける場合に比べて、液晶表示ユニットの薄型化を図ることが可能になる。また、液晶照光ユニットが大型化した場合においても、液晶表示ユニットの厚さの増加を最小限に抑えることが可能になる。
【００１４】
この発明に基づいた携帯電話機の他の局面においては、携帯電話機の液晶表示ユニットにおいて、上記主液晶表示窓から視認可能な主液晶表示器と、上記副液晶表示窓から視認可能な副液晶表示器と、上記主液晶表示器と上記副液晶表示器とに挟まれるように設けられる液晶照光ユニットとを有している。
【００１５】
この携帯電話機においては、２つの液晶表示器と１つの液晶照光ユニットとからなる液晶表示装置により、主液晶表示窓および副液晶表示窓からの液晶表示情報の視認を可能としている。その結果、従来構造のように、液晶表示ユニット内に、２組の液晶表示装置を設ける場合に比べて、液晶表示ユニットの薄型化を図ることが可能になる。また、液晶照光ユニットが大型化した場合においても、液晶表示ユニットの厚さの増加を最小限に抑えることが可能になる。
【００１６】
上記各携帯電話機においては、好ましくは、上記液晶表示ユニットの上記主液晶表示窓と、上記操作部ユニットの上記操作領域とが対面するように折り曲げられる、２つ折型の構造を有し、折りたたまれた状態において、上記副液晶表示窓から、液晶表示による情報の確認が可能なように、上記液晶表示ユニットが制御される。これにより、携帯電話機が折りたたまれた状態であっても、携帯電話機に内蔵された時計機能、メール着信機能、充電状態確認機能その他の管理機能の状況把握が可能となり、携帯電話機の利便性の向上を図ることが可能になる。
【００１７】
【発明の実施の形態】
以下、この発明に基づいた各実施の形態における携帯電話機について、図を参照しながら説明する。なお、以下に示す携帯電話機は、最も好ましい形態として、操作領域と主液晶表示窓とが対面するように折りたたむことが可能な、２つ折り型の携帯電話機に本願発明を適用した場合について説明しているが、２つ折り型でない携帯電話機に対して、本願発明を適用することも可能である。
【００１８】
また、各実施の形態における携帯電話機の基本的構造は、上述した従来の携帯電話機と同じであるため、同一または相当部分については、同一の参照番号を付して、その詳細な説明は省略し、本発明に対応する特徴的構造部分のみを詳細に説明する。
【００１９】
（実施の形態１）
以下、この発明に基づいた実施の形態１における携帯電話機の特徴的構造について、図１から図４を参照して説明する。なお、図１は、携帯電話機の液晶表示ユニット１の外装面（裏面側）を示す平面図であり、副液晶表示窓５が、ヒンジ部９の反対側に設けられている。また、図２は、携帯電話機の液晶表示ユニット１の内装面（表面側）を示す平面図であり、ほぼ全体的に、主液晶表示窓４が設設けられている。図３は、折りたたまれた状態における携帯電話機の内部構造を示す縦断面図であり、図４は、図３中のＸで囲まれる領域の拡大断面図である。
【００２０】
この携帯電話機においては、図３に示すように、液晶表示ユニット１に液晶表示器２ａが、主液晶表示窓４および副液晶表示窓５から視認可能なように配設され、この液晶表示器２ａの、主液晶表示窓４側である表面側には、液晶照光ユニット１０が配設されている。また、図４に示すように、液晶表示器２ａの、副液晶表示窓５側である裏面側には、半透過鏡（ハーフミラー）２ｂが配設されている。この半透過鏡２ｂとしては、鏡面仕上げした透明樹脂板表面にアルミニウムなどをスパッタリングや蒸着により薄膜形成することにより得られる。
【００２１】
液晶照光ユニット１０の基本的構成は、従来のフロントライト型ものと同じであり、液晶表示ユニット１が開放された状態では、液晶照光ユニット１０が照光することにより、液晶表示器２ａに表示される文字が主液晶表示窓４から視認可能になる。一方、液晶表示ユニット１が折畳まれた状態では、主液晶表示窓４は塞がれた暗室状態となるが、液晶照光ユニット１０を照光させることにより、半透過鏡（ハーフミラー）２ｂを通して、副液晶表示窓５側が照光される。その結果、副液晶表示窓５側からの文字の視認が可能になる。
【００２２】
したがって、上記構成から液晶表示ユニット１においては、主液晶表示窓４から視認できる液晶表示装置は、フロントライト型表示となり、副液晶表示窓５から視認できる液晶表示装置は、バックライト型表示となる。
【００２３】
なお、上記液晶表示器２ａの基本的構造は、従来の液晶表示器の構造と同じである。ただし、主液晶表示窓４側から読取られる文字と、副液晶表示窓５側から読取られる文字とは、それぞれの窓から読取り可能な文字となるように構成される（つまり、副液晶表示窓５側から読取られる文字を主液晶表示窓４側から見た場合には、裏文字となる。）。また、両文字の表示の切り替えは、液晶表示ユニット１の開閉動作を検出することにより行なわれる。
【００２４】
ここで、フロントライト型表示の一例について、図５を参照してその概略を説明する。たとえば、透明基板５１、液晶層５２、透明基板５３、および反射部材５４を張合わせた液晶表示器１に接着層５５を介在させて、表面側に透明部材からなる導光板１０Ａを配置する。導光板１０Ａの側面部１０Ｓには、蛍光管、発光ダイオード（ＬＥＤ）、電球等の光源１０Ｌが配置される。導光板１０Ａおよび光源１０Ｌにより液晶照光ユニット１０が構成される。光源１０Ｌから照射された光Ｌは、導光板１０Ａ内を乱反射しながら、最終的には反射部材５４により導光板１０Ａの表面側に反射され、液晶による文字の視認を可能とする。
【００２５】
次に、バックライト型表示の一例について、図６を参照してその概略を説明する。たとえば、透明基板５１、液晶層５２、および透明基板５３を張合わせた液晶表示器１に接着層５５を介在させて、表面側に透明部材からなる導光板１０Ａを配置する。この導光板１０Ａの裏面側には、反射部材１０Ｂが配置される。導光板１０Ａの側面部１０Ｓには、蛍光管、発光ダイオード（ＬＥＤ）、電球等の光源１０Ｌが配置される。導光板１０Ａ、反射部材１０Ｂ、および光源１０Ｌにより液晶照光ユニット１０が構成される。光源１０Ｌから照射された光Ｌは、導光板１０Ａ内を乱反射しながら、一部の光はそのまま液晶表示器１に入射し、また他の光は、反射部材１０Ｂにより表面側に反射され、液晶による文字の視認を可能とする。
【００２６】
次に、上記半透過鏡（ハーフミラー）２ｂを通して、副液晶表示窓５側が照光されるバックライト型表示の詳細について、図７（Ａ）を参照して説明する。導光板１０Ａの側面に設けられた光源１０Ｌから照射された光Ｌは、上記図５での説明と同様に、主液晶表示窓４に対応する領域に設けられた反射部材２ｃにより表面側に反射される。一方、副液晶表示窓５に対応する領域に設けられた半透過鏡（ハーフミラー）２ｂにおいては、一部光Ｌを透過させることにより、副液晶表示窓５から液晶表示器２ａの表示が視認可能となる。
【００２７】
上記構成からなる携帯電話機において、その液晶表示ユニット１の動作については、携帯電話機が、図３に示するように折りたたまれている状態においては、副液晶表示窓５のみが携帯電話機の本体外面に露出しており、副液晶表示窓５から液晶表示器２ａの表示が視認できる。この場合、図４に示すように、液晶照光ユニット１０の副液晶表示窓５に対応する領域を副液晶照光ユニット７とし、この領域のみを照光可能なように制御することで（図７（Ｂ）の光源５のみを照光させ、他の光源１〜４については照光させない）、省電力化を図ることが可能になる。
【００２８】
次に、着信等により、液晶表示ユニット１を開いた場合には、少なくとも主液晶表示窓４に対応する領域の液晶照光ユニット１０が点灯して、主液晶表示窓４から、液晶表示器２ａに表示される情報が視認可能となる。このとき、副液晶表示窓５からの液晶表示器２ａの表示が不要な場合には、副液晶照光ユニット７の領域のみを消灯する。
【００２９】
（作用・効果）
以上、本実施の形態における携帯電話機によれば、１つの液晶表示器２ａと１つの液晶照光ユニット１０とからなる１組の液晶表示装置により、主液晶表示窓４および副液晶表示窓５からの液晶表示情報の視認を可能としている。その結果、従来構造のように、液晶表示ユニット１内に、２組の液晶表示装置を設ける場合に比べて、液晶表示ユニット１の薄型化を図ることが可能になる。また、液晶照光ユニット１０が大型化した場合においても、液晶表示ユニット１の厚さの増加を最小限に抑えることが可能になる。
【００３０】
また、液晶表示ユニットおよび液晶照光ユニットの数量の削減により、携帯電話機の薄型化、軽量化、部品点数の削減、組立て性の向上を図ることが可能になる。
【００３１】
（実施の形態２）
以下、この発明に基づいた実施の形態２における携帯電話機の特徴的構造について、図８を参照して説明する。なお、図８は、折りたたまれた状態における携帯電話機の内部構造を示す縦断面図である。
【００３２】
本実施の形態における携帯電話機の構造的特徴は、液晶表示ユニット１の構造において、主液晶表示窓４からその表面側が視認可能であり、また、副液晶表示窓５からその裏面側が視認可能なように液晶表示器２が配設され、さらに、主液晶表示窓４に対応する領域において、液晶表示器２の裏面側に配置される主液晶照光ユニット６と、副液晶表示窓５に対応する領域において、液晶表示器２の表面側に配置される副液晶照光ユニット７とが配設されている点にある。
【００３３】
したがって、上記構成から液晶表示ユニット１においては、主液晶表示窓４から視認できる液晶表示装置は、および、副液晶表示窓５から視認できる液晶表示装置は、いずれもバックライト型表示となる。
【００３４】
（作用・効果）
以上、本実施の形態のように、２つの液晶表示器と１つの液晶照光ユニットとからなる液晶表示装置を採用することによっても、上記実施の形態１における携帯電話機と同様の機能、および、作用効果を得ることが可能となる。
【００３５】
また、副液晶表示の照度を確保しつつ、携帯電話機の薄型化、軽量化、部品点数の削減を図ることが可能になる。
【００３６】
（実施の形態３）
以下、この発明に基づいた実施の形態３における携帯電話機の特徴的構造について、図９を参照して説明する。なお、図９は、折りたたまれた状態における携帯電話機の内部構造を示す縦断面図である。
【００３７】
本実施の形態における携帯電話機の構造的特徴は、主液晶表示窓４から視認可能な位置に配設される主液晶表示器２と、副液晶表示窓５から視認可能な位置に配設される副液晶表示器３とを備え、さらに、この主液晶表示器４と副液晶表示器５とに挟まれるように液晶照光ユニット６が配設されている点にある。
【００３８】
この液晶照光ユニットは、図６を用いて説明したバックライト型表示に用いられるものと同様の液晶照光ユニットが用いられている。反射部材は、図７に示す副液晶部ハーフミラーが望ましい。
【００３９】
したがって、上記構成から液晶表示ユニット１においては、主液晶表示窓４から視認できる液晶表示装置、および、副液晶表示窓５から視認できる液晶表示装置は、いずれもバックライト型表示となる。
【００４０】
（作用・効果）
以上、本実施の形態のように、１つの液晶表示器と２つの液晶照光ユニットとからなる液晶表示装置を採用することによっても、上記実施の形態１における携帯電話機と同様の機能、および、作用効果を得ることが可能となる。
【００４１】
また、携帯電話機の薄型化、軽量化、部品点数の削減を図ることが可能になる。
【００４２】
なお、上述した実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００４３】
【発明の効果】
この発明に基づいた携帯電話機のよれば、主液晶表示窓および副液晶表示窓から視認するための液晶表示器および照光ユニットの共用化を図ることにより、液晶表示ユニットの薄型化を図り、その結果、携帯電話機としての薄型化を可能とする。
【図面の簡単な説明】
【図１】実施の形態１における携帯電話機の液晶表示ユニット１の外装面（裏面側）を示す平面図である。
【図２】実施の形態１における携帯電話機の液晶表示ユニット１の内装面（表面側）を示す平面図である。
【図３】実施の形態１における携帯電話機の折りたたまれた状態における携帯電話機の内部構造を示す縦断面図である。
【図４】図３中のＸで囲まれる領域の拡大断面図である。
【図５】フロントライト型表示の一例を示す概略図である。
【図６】バックライト型表示の一例を示す概略図である。
【図７】（Ａ）半透過鏡（ハーフミラー）２ｂを通して、副液晶表示窓５側が照光されるバックライト型表示を説明するための側面図であり、（Ｂ）半透過鏡（ハーフミラー）２ｂを通して、副液晶表示窓５側が照光されるバックライト型表示を説明するための平面図である。
【図８】実施の形態２における携帯電話機の折りたたまれた状態における内部構造を示す縦断面図である。
【図９】実施の形態３における携帯電話機の折りたたまれた状態における内部構造を示す縦断面図である。
【図１０】従来の技術における携帯電話機の折りたたまれた状態における内部構造を示す縦断面図である。
【符号の説明】
１　液晶表示ユニット、２　主液晶表示器、２ａ　液晶表示器、２ｂ　半透過鏡（ハーフミラー）、３　副液晶表示器、４　主液晶表示窓、５　副液晶表示窓、６　主液晶照光ユニット，液晶照光ユニット、７　副液晶照光ユニット、８　操作部ユニット、８ａ　無線機器ユニット、８ｂ　操作領域、８ｃ　電池ユニット、９　ヒンジ部、１０　液晶照光ユニット。
【図１】
2004040464.tif 000003
【図２】
2004040464.tif 000004
【図３】
2004040464.tif 000005
【図４】
2004040464.tif 000006
【図５】
2004040464.tif 000007
【図６】
2004040464.tif 000008
【図７】
2004040464.tif 000009
【図８】
2004040464.tif 000010
【図９】
2004040464.tif 000011
【図１０】
2004040464.tif 000012